(57)【要約】【課題】  映像モニタリングシステムにおいて、Ｗｅｂカメラ等に対して設定や管理を簡略化し、Ｗｅｂカメラで撮影された映像および操作をインターネットで、パソコンや携帯電話で画像の管理・閲覧を簡易にすることにより運用効率を向上させる。【解決手段】  Ｗｅｂカメラ１もしくはルーターから映像モニタリングシステム６に対し、Ｗｅｂカメラ１からＩＰアドレス情報の送信を一定間隔時間おきに行い、インターネット５上で認識が可能な状態を維持する。映像の閲覧は携帯電話用３に配信する場合は映像のサイズを加工し機種によらず閲覧できるようにして配信する。  映像モニタリングシステム６によりパソコン端末４および携帯電話３からインターネット５を通じ特定のＷｅｂカメラ１に対するアクセスをＩＤ・パスワードによりセキュリティ管理する。携帯電話３およびパソコン４にてインターネット５から管理画面にて閲覧者、閲覧時間を管理する。【選択図】図１
2009077359.tif 000002
【特許請求の範囲】
【請求項１】
ＷｅｂカメラもしくはＷｅｂカメラに接続されたルーターに対し、固定ＩＰアドレスやダイナミックドメインネームシステムサービスを使用せず、Ｗｅｂカメラもしくはルーターから本システムに対し、ＷｅｂカメラからＩＰアドレス情報の送信を一定間隔時間おきに行い、ＩＰアドレスと登録されたＩＤを突合せることにより固有のＩＰアドレスを所有しているかのようにインターネット上で認識が可能な状態を維持するシステムにより、Ｗｅｂカメラで撮影された映像および操作をインターネットを利用し、パソコン端末もしくは携帯電話にてモニタリングを行うアプリケーションサービスシステムであるインターネットＷｅｂカメラ認識・映像配信システム。
【請求項２】
映像の閲覧は対象のＷｅｂカメラに対して上記システムを通じでアクセスした時点での映像を取得して閲覧者に配信するシステム。携帯電話用に配信する場合は映像のサイズを加工し機種によらず閲覧できるようにして配信するインターネットＷｅｂカメラ認識・映像配信システム。
【発明の詳細な説明】
【技術分野】
【０００１】  複数のＷｅｂカメラをインターネット上で固定ＩＰアドレスやダイナミックドメインネームサーバーおよびＷｅｂサーバーを使用せずに特定し、携帯電話やパソコンに映像を配信し、Ｗｅｂカメラの操作を行えるシステムに関するものである。
【背景技術】
【０００２】  Ｗｅｂカメラで撮影された映像をインターネット上で公開することは広く行われているが、Ｗｅｂカメラをインターネット上で公開・閲覧および操作する場合はＷｅｂカメラごとにインターネット上で個別に認識できる状態に設定されていることが必要になる。また、ただ広く一般に公開するのではなく、閲覧対象を制限するには複雑な装置や運用規定が必要であることは特開２００３−１７９９１２号公報に開示されている。
【発明の開示】
【発明が解決しようとする課題】
【０００３】  Ｗｅｂカメラをインターネット上で公開・閲覧する場合はＷｅｂカメラもしくはＷｅｂカメラを接続したルーターごとに固定ＩＰアドレスもしくはダイナミックドメインネームシステムによる登録および設定が必要であり、なおかつ映像の公開者が閲覧対象や閲覧時間を制限するためには運用コストがかかることを解決するものである。
【課題を解決するための手段】
【０００４】  各Ｗｅｂカメラから直接もしくはルーターを経由して本システムに対し、アクセスすることにより個別の認識を行い、個々のＷｅｂカメラに固定ＩＰアドレスもしくはダイナミックドメインネームシステムによる登録がなくてもインターネットを通じて情報の交換を可能とした。各Ｗｅｂカメラのインターネット接続機能を利用し、本システムにアクセスするよう設定することにより、あらかじめ本システム内に登録された情報とダイナミックドメインネームサーバーの突合せを行い、随時変更されるＩＰアドレスとドメインネームとの整合性を一定間隔時間ごとにとることにより、あたかも個々のＷｅｂカメラにダイナミックドメインネームシステムを設定・登録してあるかのように使用することができる。また映像公開者が管理のための設定変更をインターネット上で携帯電話およびパソコンから行うことのできる管理ページをシステム内に構築した。携帯電話利用の簡略化としてＩＤ・パスワード・利用時間を暗号化してＱＲコードの発行を行う。サービスの提供として閲覧者が携帯電話から閲覧できるよう取り込んだ映像のサイズを加工して提供する。以上により運用の簡略化を実現している。
【発明の効果】
【０００５】  上述のように、個々Ｗｅｂカメラをインターネット上での認識・公開を固定ＩＰアドレスもしくはダイナミックドメインネームシステムによる登録がなくても行うことにより作業を簡略化およびコストを削減する。映像の公開者が閲覧者や閲覧時間の制限、閲覧者へのＩＤ・パスワード発行管理と映像の配信をするための作業の簡略化およびコスト削減を実現する。
また、パソコン端末および携帯電話からインターネットを通じ特定のＷｅｂカメラに対するアクセスはＩＤ・パスワードによりセキュリティ管理する。
携帯電話およびパソコンにてインターネットから管理画面に接続し、個々のＷｅｂカメラのＩＤ・パスワードの設定を行うことにより、個々のＷｅｂカメラに対して閲覧者、閲覧時間を制限することが可能。閲覧者が携帯電話での利用の場合はＱＲコードにてＩＤ・パスワード・利用時間を暗号化して発行を行う。閲覧者がＱＲコード対応の携帯電話であればＩＤ・パスワードの入力作業は不要となる。
映像閲覧者は本サービス提供対象者である映像公開者の許可の下、映像を閲覧することができる。本サービスの提供により映像の公開自体を閲覧者に対し、管理・運用を行うことを代行するものである。映像閲覧の許可の権限は映像の公開者にあるため、映像の公開者および閲覧者は同一でも可能である。
【発明を実施するための最良の形態】
【０００６】  店舗や事務所の監視カメラ・防犯カメラ、駐車場管理、ペットホテル、動物病院、保育園、幼稚園等にＷｅｂカメラを設置し、携帯電話やパソコンを端末として対象映像の閲覧を店舗や事務所であれば管理責任者、駐車場やペットホテルや動物病院であれば顧客、保育園や幼稚園であれば保護者にＩＤとパスワードを発行し、場所を選ばずに映像の閲覧を行わせることができる。
【実施例】
【０００７】  以下、添付図面に従って一実施例を説明する。本サービスを利用する利用者は事前に本サービスの提供者が映像モニタリングシステム６に利用者登録を行う。登録された本サービスの利用者は映像の公開者であると共に、公開の対象を管理する管理者である。この利用者がＷｅｂカメラ１を映像の撮影場所である任意の場所に設置する。インターネット５上に映像を公開するためＷｅｂカメラ１を直接またはルーター２を経由してインターネット５に接続する。Ｗｅｂカメラ１からインターネット５を通じて映像モニタリングシステム６へＩＰアドレス情報および映像を一定時間間隔で送信する。映像モニタリングシステム６ではＷｅｂカメラ１をシステム内でＩＰアドレスとドメイン名の関連付けを行い、映像の公開者である利用者は携帯電話３もしくはパソコン４からインターネット５を通じて閲覧者を管理する操作できるよう管理システムの提供を行う。利用者からＩＤ・パスワード・利用時間を発行・設定により許可された閲覧者は携帯電話３もしくはパソコンから４インターネット５を通じて閲覧することができるよう管理システムの提供を行う。
【図面の簡単な説明】
【０００８】
【図１】  映像モニタリングシステムにより固定ＩＰアドレスもしくはダイナミックドメインネームシステムによる登録せず、インターネットを通してサービスを提供することを示す図である。
【図２】  映像モニタリングシステムでＩＰ情報や利用者管理および閲覧者のＩＤ・パスワード管理を行っていることを示す図である。
【図１】
2009077359.tif 000003
【図２】
2009077359.tif 000004